【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
シート供給装置から排出されたシートを搬送するシート搬送手段と、
前記シート搬送手段によって搬送されたシートを積載する複数のシート積載手段と、
前記複数のシート積載手段を個々に移動させる移動手段と、
前記複数のシート積載手段を覆うための開閉可能なカバー部材と、
前記複数のシート積載手段に対し、シートの取り出し指示を個別に行う取り出し指示手段とを備え、
前記取り出し指示手段により取り出しが指示されると、指示された前記シート積載手段を所定位置まで移動させ、前記シート積載手段が前記所定位置まで移動すると、前記カバー部材の開操作を許可する取り出し処理を行うシート積載装置であって、
前記取り出し指示手段により指示された前記シート積載手段の取り出し処理を開始した場合、前記シート積載手段へのシートの積載開始を禁止する制御手段を備えたことを特徴とするシート積載装置。
【請求項２】
シート供給装置から排出されたシートを搬送するシート搬送手段と、
前記シート搬送手段から搬送されたシートを積載する複数のシート積載手段と、
前記複数のシート積載手段を個々に移動させる移動手段と、
前記シート積載手段へのシートの積載開始の要求を認識するシート積載認識手段と、
前記複数のシート積載手段を覆うための開閉可能なカバー部材と、
前記複数のシート積載手段に対し、シートの取り出し指示を個別に行う取り出し指示手段とを備え、
前記取り出し指示手段により取り出しが指示されると、指示された前記シート積載手段を所定位置まで移動させ、前記シート積載手段が前記所定位置まで移動すると、前記カバー部材の開操作を許可する取り出し処理を行うシート積載装置であって、
前記シート積載認識手段により、取り出し指示がされていない前記シート積載手段へのシートの積載開始の要求を認識した場合、前記取り出し処理を中断し、前記シートの積載開始が要求された前記シート積載手段への積載を行う前の準備処理を行った後、前記取り出し処理を再開する制御手段を備えたことを特徴とするシート積載装置。
【請求項３】
前記シート積載認識手段により、取り出し指示がされていない前記シート積載手段へのシートの積載開始の要求を認識した場合、前記取り出し処理を中断し、前記シートの積載開始が要求された前記シート積載手段への積載を行う前に準備処理を行った後、前記取り出し処理を再開する他の制御手段と、
前記制御手段と前記他の制御手段のいずれか一方を選択する選択手段とを備えたことを特徴とする請求項２記載のシート積載装置。
【請求項４】
前記取り出し指示手段により指示された前記シート積載手段の取り出し処理を開始した場合、前記シート積載手段へのシートの積載開始を禁止する他の制御手段を備え、
前記制御手段と前記他の制御手段のいずれか一方を選択する選択手段とを備えたことを特徴とする請求項２記載のシート積載装置。
【請求項５】
シート供給装置から排出されたシートを搬送するシート搬送手段と、
前記シート搬送手段から搬送されたシートを積載する複数のシート積載手段と、
前記複数のシート積載手段を個々に移動させる移動手段と、
前記シート積載手段へのシートの積載開始の要求を認識するシート積載認識手段と、
前記複数のシート積載手段を覆うための開閉可能なカバー部材と、
前記複数のシート積載手段に対し、シートの取り出し指示を個別に行う取り出し指示手段と、
前記取り出し指示手段により取り出しが指示されると、指示された前記シート積載手段
を所定位置まで移動させ、前記シート積載手段が前記所定位置まで移動すると、前記カバー部材の開操作を許可する取り出し処理を行う制御手段と、
を有し、
前記制御手段は、前記取り出し指示手段により指示された前記シート積載手段の取り出し動作を開始した場合、前記シート積載手段へのシートの積載開始を禁止する第１の優先制御と、前記シート積載認識手段により、取り出し指示がされていない前記シート積載手段へのシートの積載開始の要求を認識した場合、前記取り出し処理を中断し、前記シートの積載開始が要求された前記シート積載手段への積載を行う前の準備処理を行った後、前記取り出し処理を再開する第２の優先制御とを選択的に実行するものであり、
更に、前記第１の優先制御と前記第２の優先制御のいずれか一方を手動で選択する選択手段を備えたことを特徴とするシート積載装置。
【請求項６】
前記シート積載手段に積載されたシートを整合する整合手段を備え、
前記制御手段は、前記準備処理として、前記シート積載認識手段により認識されたシートの積載先である前記シート積載手段に積載されたシートを整合するために、前記整合手段を所定位置に移動させることを特徴とする請求項２記載のシート積載装置。
【請求項７】
前記シート積載手段の上面または積載されたシート上面の高さを検知する高さ検知手段を備え、
前記制御手段は、前記準備処理として、前記高さ検知手段により前記シート積載手段の上面または積載されたシート上面の高さが検知され、前記シート積載認識手段により認識されたシートの積載先である前記シート積載手段を、シート積載位置に移動させることを特徴とする請求項２または６記載のシート積載装置。
【請求項８】
前記シート積載手段に積載されるシートのシート搬送方向の長さが１つの前記シート積載手段に積載可能な長さであるか否かを判断する判断手段を備え、
前記移動手段は、前記判断手段によって前記積載されるシートのシート搬送方向の長さが１つの前記シート積載手段に積載可能な長さであると判断された場合、前記積載されるシートを前記複数のシート積載手段のうちの１つに積載し、前記積載されるシートのシート搬送方向の長さが１つの前記シート積載手段に積載可能な長さよりも大きいと判断された場合、前記積載されるシートを前記複数のシート積載手段に跨って積載するように、前記複数のシート積載手段を移動させることを特徴とする請求項１〜７のいずれか１項に記載のシート積載装置。
【請求項９】
前記シート供給装置は画像形成装置であることを特徴とする請求項１〜８のいずれか１項に記載のシート積載装置。
【請求項１０】
シート供給装置から排出されたシートを搬送するシート搬送手段と、前記シート搬送手段によって搬送されたシートを積載する複数のシート積載手段と、前記複数のシート積載手段を個々に移動させる移動手段と、前記複数のシート積載手段を覆うための開閉可能なカバー部材と、前記複数のシート積載手段に対し、シートの取り出し指示を個別に行う取り出し指示手段とを備えたシート積載装置の制御方法において、
前記取り出し指示手段により取り出しが指示されると、指示された前記シート積載手段を所定位置まで移動させ、前記シート積載手段が前記所定位置まで移動すると、前記カバー部材の開操作を許可する取り出し処理を行うステップと、
前記取り出し指示手段により指示された前記シート積載手段の取り出し処理を開始した場合、前記シート積載手段へのシートの積載開始を禁止するステップとを有することを特徴とするシート積載装置の制御方法。
【請求項１１】
シート供給装置から排出されたシートを搬送するシート搬送手段と、前記シート搬送手段から搬送されたシートを積載する複数のシート積載手段と、前記複数のシート積載手段を個々に移動させる移動手段と、前記シート積載手段へのシートの積載開始の要求を認識するシート積載認識手段と、前記複数のシート積載手段を覆うための開閉可能なカバー部材と、前記複数のシート積載手段に対し、シートの取り出し指示を個別に行う取り出し指示手段とを備えたシート積載装置の制御方法において、
前記取り出し指示手段により取り出しが指示されると、指示された前記シート積載手段を所定位置まで移動させ、前記シート積載手段が前記所定位置まで移動すると、前記カバー部材の開操作を許可する取り出し処理を行うステップと、
前記シート積載認識手段により、取り出し指示がされていない前記シート積載手段へのシートの積載開始の要求を認識した場合、前記取り出し処理を中断し、前記シートの積載開始が要求された前記シート積載手段への積載を行う前の準備処理を行った後、前記取り出し処理を再開するステップとを有することを特徴とするシート積載装置の制御方法。
【請求項１２】
シート供給装置から排出されたシートを搬送するシート搬送手段と、前記シート搬送手段から搬送されたシートを積載する複数のシート積載手段と、前記複数のシート積載手段を個々に移動させる移動手段と、前記シート積載手段へのシートの積載開始の要求を認識するシート積載認識手段と、前記複数のシート積載手段を覆うための開閉可能なカバー部材と、前記複数のシート積載手段に対し、シートの取り出し指示を個別に行う取り出し指示手段とを備えたシート積載装置の制御方法において、
前記取り出し指示手段により取り出しが指示されると、指示された前記シート積載手段を所定位置まで移動させ、前記シート積載手段が前記所定位置まで移動すると、前記カバー部材の開操作を許可する取り出し処理を行う取り出し処理ステップと、
前記取り出し指示手段により指示された前記シート積載手段の取り出し動作を開始した場合、前記シート積載手段へのシートの積載開始を禁止する第１の優先制御ステップと、
前記取り出し処理ステップにおいて、前記シート積載認識手段により、取り出し指示がされていない前記シート積載手段へのシートの積載開始の要求を認識した場合、前記取り出し処理を中断し、前記シートの積載開始が要求された前記シート積載手段への積載を行う前の準備処理を行った後、前記取り出し処理を再開する第２の優先制御ステップと、
操作者による選択に従って、前記第１の優先制御ステップと前記第２の優先制御ステップのいずれか一方を選択する選択ステップとを有することを特徴とするシート積載装置の制御方法。
【請求項１３】
シートに画像を形成する画像形成装置と、
前記画像形成装置から排出されたシートを搬送するシート搬送手段と、前記シート搬送手段によって搬送されたシートを積載する複数のシート積載手段と、前記複数のシート積載手段を個々に移動させる移動手段と、前記複数のシート積載手段を覆うための開閉可能なカバー部材と、前記複数のシート積載手段に対し、シートの取り出し指示を個別に行う取り出し指示手段とを備え、前記取り出し指示手段により取り出しが指示されると、指示された前記シート積載手段を所定位置まで移動させ、前記シート積載手段が所定位置まで移動すると、前記カバー部材の開操作を許可する取り出し処理を行うシート積載装置とを備えた画像形成システムであって、
前記取り出し指示手段により指示された前記シート積載手段の取り出し処理を開始した場合、前記シート積載手段へのシートの積載開始を禁止する制御手段を備えたことを特徴とする画像形成システム。
【請求項１４】
シートに画像を形成する画像形成装置と、
前記画像形成装置から排出されたシートを搬送するシート搬送手段と、前記シート搬送手段から搬送されたシートを積載する複数のシート積載手段と、前記複数のシート積載手段を個々に移動させる移動手段と、前記シート積載手段へのシートの積載開始の要求を認識するシート積載認識手段と、前記複数のシート積載手段を覆うための開閉可能なカバー部材と、前記複数のシート積載手段に対し、シートの取り出し指示を個別に行う取り出し指示手段とを備え、前記取り出し指示手段により取り出しが指示されると、指示された前記シート積載手段を所定位置まで移動させ、前記シート積載手段が前記所定位置まで移動すると、前記カバー部材の開操作を許可する取り出し処理を行うシート積載装置とを備えた画像形成システムであって、
前記シート積載認識手段により、取り出し指示がされていない前記シート積載手段へのシートの積載開始の要求を認識した場合、前記取り出し処理を中断し、前記シートの積載開始が要求された前記シート積載手段への積載を行う前の準備処理を行った後、前記取り出し処理を再開する制御手段を備えたことを特徴とする画像形成システム。
【請求項１５】
シートに画像を形成する画像形成装置と、
前記画像形成装置から排出されたシートを搬送するシート搬送手段と、
前記シート搬送手段から搬送されたシートを積載する複数のシート積載手段と、
前記複数のシート積載手段を個々に移動させる移動手段と、
前記シート積載手段へのシートの積載開始の要求を認識するシート積載認識手段と、
前記複数のシート積載手段を覆うための開閉可能なカバー部材と、
前記複数のシート積載手段に対し、シートの取り出し指示を個別に行う取り出し指示手段と、
前記取り出し指示手段により取り出しが指示されると、指示された前記シート積載手段を所定位置まで移動させ、前記シート積載手段が前記所定位置まで移動すると、前記カバー部材の開操作を許可する取り出し処理を行う制御手段と、
を有する画像形成システムであって、
前記制御手段は、前記取り出し指示手段により指示された前記シート積載手段の取り出し動作を開始した場合、前記シート積載手段へのシートの積載開始を禁止する第１の優先制御と、前記シート積載認識手段により、取り出し指示がされていない前記シート積載手段へのシートの積載開始の要求を認識した場合、前記取り出し処理を中断し、前記シートの積載開始が要求された前記シート積載手段への積載を行う前の準備処理を行った後、前記取り出し処理を再開する第２の優先制御とを選択的に実行するものであり、
更に、前記第１の優先制御と前記第２の優先制御のいずれか一方を手動で選択する選択手段とを備えたことを特徴とする画像形成システム。